(57)【特許請求の範囲】
【請求項１】
時間シフトバッファでプログラムを記録する時間シフト機能を備えるデバイスで逆方向記録を行うための方法であって、
ユーザによって見られているプログラム内のシーンを記録するための命令を受け取るステップと、
プログラム情報に基づき前記プログラムのタイプを決定するステップと、
前記プログラムの前記タイプに応じて前記逆方向記録の存続期間を設定するステップと、
前記時間シフトバッファにおいて記憶されており、前記命令を受け取った時点より前の前記存続期間に対応するデータを、前記デバイスのストレージにコピーするステップと
を有する方法。
【請求項２】
前記時間シフト機能は、デフォルト規則又は前記ユーザによる命令に従ってアクティブにされる、
請求項１に記載の方法。
【請求項３】
前記命令を受け取るステップは、前記デバイスのユーザインターフェイスに設けられている逆方向記録ボタンによって実施される、
請求項１又は２に記載の方法。
【請求項４】
前記プログラム情報は、前記プログラムとともに受信されるＥＩＴ  ｐ／ｆ情報又はｃｏｎｔｅｎｔ＿ｎｉｂｂｌｅ＿ｌｅｖｅｌ＿１である、
請求項１乃至３のうちいずれか一項に記載の方法。
【請求項５】
前記設定するステップは、前記プログラムの前記タイプに応じて提案される存続期間を前記ユーザに示し、該ユーザによって選択されることによって、実施される、
請求項１乃至４のうちいずれか一項に記載の方法。
【請求項６】
前記設定するステップは、前記プログラムの前記タイプに依存した又は依存しないデフォルト存続期間を選択することによって、実施される、
請求項１乃至４のうちいずれか一項に記載の方法。
【請求項７】
ユーザインターフェイスに設けられている記録再生ボタンを介して、前記デバイスの前記ストレージ内の逆方向記録ディレクトリに記憶されている記録データを再生するための命令を受け取るステップ
を更に有する請求項１乃至６のうちいずれか一項に記載の方法。
【請求項８】
時間シフトバッファでプログラムを記録する時間シフト機能を備えるか又は該時間シフト機能に接続されている、逆方向記録のためのデバイスであって、
ユーザによって見られているプログラム内のシーンを記録するための命令を受け取るステップと、
プログラム情報に基づき前記プログラムのタイプを決定するステップと、
前記プログラムの前記タイプに応じて前記逆方向記録の存続期間を設定するステップと、
前記時間シフトバッファにおいて記憶されており、前記命令を受け取った時点より前の前記存続期間に対応するデータを、ストレージにコピーするステップと
を実施するプロセッサを有するデバイス。
【請求項９】
前記時間シフト機能は、デフォルト規則又は前記ユーザによる命令に従ってアクティブにされる、
請求項８に記載のデバイス。
【請求項１０】
前記命令を受け取るステップは、前記デバイスのユーザインターフェイスに設けられている逆方向記録ボタンによって実施される、
請求項８又は９に記載のデバイス。
【請求項１１】
前記プログラム情報は、前記プログラムとともに受信されるＥＩＴ  ｐ／ｆ情報又はｃｏｎｔｅｎｔ＿ｎｉｂｂｌｅ＿ｌｅｖｅｌ＿１である、
請求項８乃至１０のうちいずれか一項に記載のデバイス。
【請求項１２】
前記設定するステップは、前記プログラムの前記タイプに応じて提案される存続期間を前記ユーザに示し、該ユーザによって選択されることによって、実施される、
請求項８乃至１１のうちいずれか一項に記載のデバイス。
【請求項１３】
前記設定するステップは、前記プログラムの前記タイプに依存した又は依存しないデフォルト存続期間を選択することによって、実施される、
請求項８乃至１１のうちいずれか一項に記載のデバイス。
【請求項１４】
前記プロセッサは、ユーザインターフェイスに設けられている記録再生ボタンを介して、前記デバイスの前記ストレージ内の逆方向記録ディレクトリに記憶されている記録データを再生するための命令を受け取るステップを更に実施する、
請求項８乃至１３のうちいずれか一項に記載のデバイス。
【請求項１５】
通信ネットワークからダウンロード可能であり、且つ／あるいは、コンピュータによって読み出し可能な媒体に記録されており、且つ／あるいは、プロセッサによって実行可能であるコンピュータプログラム製品であって、
請求項１乃至７のいずれか一項に記載の方法を実施するプログラムコード命令を有するコンピュータプログラム。
【請求項１６】
請求項１乃至７のいずれか一項に記載の方法を実施するプログラムコード命令を含む、プロセッサによって実行されることが可能なコンピュータプログラムを記録している非一時的なコンピュータ可読媒体。
【発明の詳細な説明】
【技術分野】
【０００１】
本開示は、逆方向記録（backward  recording）に関係があり、特に、時間シフト機能を備えるデバイスでの逆方向記録のための方法及びシステムに関係がある。
【背景技術】
【０００２】
ＤＶＢ（Digital  Video  Broadcasting；デジタルビデオ放送）標準に基づく現在のＳＴＢプログラム記録アプリケーションには、２種類のＴＶ記録モードがある。１つは“即時記録”であり、他は“スケジューリング記録”である。“即時記録モード”では、ユーザは、記録ボタンを押して、ユーザが関心を持っている特定の時間から記録を開始する。印象的なシーンは終わったとユーザが思うときに、記録を完了するよう再度記録ボタンを押すことによってそれは完了される。“スケジューリング記録モード”では、ＤＶＢ  ＰＳＩ／ＳＩ（Program  Specific  Information/Service  Information；プログラム特有情報／サービス情報）テーブルにおいて送信されたＥＩＴ（Event  Information  Table；イベント情報テーブル）から、ユーザは、前もって、関連するプログラムを記録するための特定のイベントを選択することができる。記録は、イベント時間が開始されるときに自動的に起動され、イベントが終わると終了される。上記の２つの方法について、記録されたプログラムは、内部／外部のハードディスクにおいて記憶される。ユーザは、記録されたプログラムをいつでも見ることができる。
【０００３】
しかしながら、実際には、ユーザが生のＴＶプログラムを記録したいと望み、ユーザが何らかの特別なシーンにしか関心を持っていない場合に、しかし、ユーザは、関心のある点がいつ起こるかを前もって知らない。例えば、サッカーの試合において、ファンは、ゴールが起こるシーンを記録したいが、それは前もって知られ得ない。ユーザが即時記録を使用する場合に、試合中のゴールは前もって知られていない。サッカーの試合の全体を記録するためにスケジューリング記録を使用することは、ユーザにとって不要である。ユーザは、ゴールの発生にしか興味がない。サッカーの試合が全体として記録される場合に、ユーザが９０分間の記録を見るときに、通常、彼らは、ゴールのシーンを見ようとゴール時点を探すためにトリックモード方法を使用する。試合中の関心のある点は、通常は１０分以下である。故に、ディスクに残り９０％のコンテンツを記録することは、不要である。
【発明の概要】
【０００４】
上記の問題を解消するよう、“逆方向記録”の概念が本発明によって提供される。この概念は、リモートコントローラに追加され得る“逆方向記録”ボタンと呼ばれるボタンによって実施されてよい。これは、ユーザが過去の特定の時間においてのみプログラムを記録することを可能にする。例えば、映画について、ユーザが印象的であるシーンを見て、取っておく価値があると考えるときに、ユーザは、次いで、印象的なシーンを記録するために過去５分間におけるシーンを記録するよう
“逆方向記録”ボタンを押すことができる。サッカーの試合について、ゴールが起きた後、ユーザが“逆方向記録”ボタンを押す場合に、全てのゴール過程を含む過去１分における試合が記録される。
【０００５】
本発明の態様に従って、時間シフト機能を備えるデバイスで逆方向記録を行うための方法であって、ユーザが１つのプログラムを選択する場合に、該プログラムを時間シフトバッファに記録するよう、前記時間シフト機能を起動するステップと、ユーザによって見られている前記プログラム内で逆方向にシーンを記録するための命令を受け取るステップと、ＥＩＴ（イベント情報テーブル）から前記プログラムに関する情報を取得するステップと、前記情報に基づき前記プログラムのタイプを決定するステップと、前記プログラムの前記タイプに応じて前記逆方向記録の存続期間を設定するステップと、前記時間シフトバッファにおいて記憶されており、前記命令を受け取った時点から逆行した前記存続期間に対応するデータを、前記デバイスのストレージにコピーするステップとを有する方法が提供される。
【０００６】
第１の好適な実施形態において、前記時間シフト機能は、デフォルト規則又は前記ユーザによる命令に従ってアクティブにされる。
【０００７】
第２の好適な実施形態において、前記命令を受け取るステップは、前記デバイスのユーザインターフェイスに設けられている逆方向記録ボタンによって実施される。
【０００８】
第３の好適な実施形態において、前記プログラムに関する前記情報は、前記プログラムとともに受信されるＥＩＴ  ｐ／ｆ情報又はｃｏｎｔｅｎｔ＿ｎｉｂｂｌｅ＿ｌｅｖｅｌ＿１である。
【０００９】
第４の好適な実施形態において、前記設定するステップは、前記プログラムの前記タイプに応じて提案される存続期間を前記ユーザに示し、該ユーザによって選択されることによって、実施される。
【００１０】
第５の好適な実施形態において、前記設定するステップは、前記プログラムの前記タイプに依存した又は依存しないデフォルト存続期間を選択することによって、実施される。
【００１１】
第６の好適な実施形態において、方法は、ユーザインターフェイスに設けられている記録再生ボタンを介して、前記デバイスの前記ストレージ内の逆方向記録ディレクトリに記憶されている記録データを再生するための命令を受け取るステップを更に有する。
【００１２】
本発明の態様に従って、通信ネットワークからダウンロード可能であり、且つ／あるいは、コンピュータによって読み出し可能な媒体に記録されており、且つ／あるいは、プロセッサによって実行可能であるコンピュータプログラム製品であって、上記の方法を実施するプログラムコード命令を有するコンピュータプログラム製品が提供される。
【００１３】
本発明の態様に従って、上記の方法を実施するプログラムコード命令を含む、プロセッサによって実行されることが可能なコンピュータプログラム製品を記録している非一時的なコンピュータ可読媒体が提供される。
【００１４】
本発明の態様に従って、時間シフト機能を備える、ＤＶＢプロトコルに基づくデバイスにおいて、逆方向記録を行うためのシステムであって、ユーザが１つのプログラムを選択する場合に、該プログラムを時間シフトバッファに記録するよう、前記時間シフト機能を起動するステップと、ユーザによって見られている前記プログラム内で逆方向にシーンを記録するための命令を受け取るステップと、ＥＩＴ（イベント情報テーブル）から前記プログラムに関する情報を取得するステップと、前記情報に基づき前記プログラムのタイプを決定するステップと、前記プログラムの前記タイプに応じて前記逆方向記録の存続期間を設定するステップと、前記時間シフトバッファにおいて記憶されており、前記命令を受け取った時点から逆行した前記存続期間に対応するデータを、前記デバイスのストレージにコピーするステップとを実施するプロセッサを有するシステムが提供される。
【００１５】
第１の好適な実施形態において、前記時間シフト機能は、デフォルト規則又は前記ユーザによる命令に従ってアクティブにされる。
【００１６】
第２の好適な実施形態において、前記命令を受け取るステップは、前記デバイスのユーザインターフェイスに設けられている逆方向記録ボタンによって実施される。
【００１７】
第３の好適な実施形態において、前記プログラムに関する前記情報は、前記プログラムとともに受信されるＥＩＴ  ｐ／ｆ情報又はｃｏｎｔｅｎｔ＿ｎｉｂｂｌｅ＿ｌｅｖｅｌ＿１である。
【００１８】
第４の好適な実施形態において、前記設定するステップは、前記プログラムの前記タイプに応じて提案される存続期間を前記ユーザに示し、該ユーザによって選択されることによって、実施される。
【００１９】
第５の好適な実施形態において、前記設定するステップは、前記プログラムの前記タイプに依存した又は依存しないデフォルト存続期間を選択することによって、実施される。
【００２０】
第６の好適な実施形態において、前記プロセッサは、ユーザインターフェイスに設けられている記録再生ボタンを介して、前記デバイスの前記ストレージ内の逆方向記録ディレクトリに記憶されている記録データを再生するための命令を受け取るステップを更に実施する。
【００２１】
本発明の更なる態様及び利点は、本発明の以下の詳細な説明において見つけられるであろう点が理解されるべきである。
【図面の簡単な説明】
【００２２】
本発明の更なる理解を提供するよう含まれており、本願の一部を構成する添付の図面は、明細書によって説明される本発明の実施形態を表すために使用される。本発明は、実施形態に制限されない。
【図１】本発明の実施形態に従うシステム１００の例となるブロック図を表す。
【図２】本発明の実施形態に従って如何にして逆方向記録機能が実施されるのかを表すフローチャートを表す。
【図３】本発明の実施形態に従って如何にしてユーザが逆方向記録機能を実施するのかを示すシステムチャートを表す。
【発明を実施するための形態】
【００２３】
以下の記載では、本発明の実施形態の様々な態様が記載される。説明を目的として、具体的な構成及び詳細は、完全な理解を提供するために示されている。なお、本発明は、ここで与えられている具体的な詳細によらずとも実施されてよい点も、当業者には明らかである。
【００２４】
本発明の実施形態は、過去の時間における関心のあるシーンのみをユーザに記録させる“逆方向記録”を含む。この機能を加えることによって、全てのＴＶプログラムを記録することは不要であり、ＳＴＢ記憶デバイスのディスク空間は節約され得る。
【００２５】
図１は、本発明の実施形態に従うシステム１００の例となるブロック図を表す。システム１００は、ＴＶセット、コンピュータシステム、タブレット、などであることができる。システム１００は、ＣＰＵ（Central  Processing  Unit；中央演算処理装置）１１１、ストレージ１１３、ディスプレイ１１５、及びユーザ入力モジュール１１７を有する。ＲＡＭ（Random  Access  Memory；ランダムアクセスメモリ）は、図１に示されるようにＣＰＵ１１１へ接続されてよい。ＣＰＵ１１１、ストレージ１１３、及びメモリ１１９を含むデバイス１１０は、ＳＴＢ（Set  Top  Box；セットトップボックス）又は、望ましくはＤＶＢ標準に基づくレコーダであることができる。
【００２６】
ディスプレイ１１５は、テキスト、イメージ、ビデオ及び何らかの他のコンテンツをシステム１００のユーザに視覚的に提示するよう構成される。ストレージ１１３は、ＣＰＵ１１１が本発明の実施形態に従ってコンテンツを記録するプロセスを駆動し操作するためのソフトウェアプログラム及びデータを記憶するよう構成される。ユーザ入力モジュール１１７は、文字又はコマンドを入力するためのキー又はボタンを含み、更には、キー又はボタンを用いて入力された文字又はコマンドを認識する機能を有してよい。ユーザ入力モジュール１１７は、システムの用途に応じてシステムにおいて省略され得る。
【００２７】
図２は、本発明の実施形態に従って如何にして逆方向記録機能が実施されるのかを表すフローチャートを表す。前提条件として、時間シフト機能は、自動記録機能をサポートするようデバイス１１０において有効にされなければならない。時間シフト機能は、過去における数時間又は数週間といった所定の期間において少なくとも１つのプログラムをバッファリングすべきである。これに加えて、１つの“逆方向記録”ボタンは、ユーザ入力モジュール１１７において、ユーザの選択のために加えられる。ボタンは、利用可能なキーを設けるようユーザ入力モジュール１１７を介して加えられ得る。
【００２８】
ステップ２０１で、デバイス１１０が起動し、ユーザによって、イベントを見るために特定のチャネルへザッピングしている場合に、時間シフトバッファは自動的に立ち上げられる。デフォルトのバッファサイズは２時間である。これは、２時間のプログラムを自動的にバッファリングすることが可能であることを意味する。デフォルトのバッファサイズのサイズは、必要に応じて変更され得る。デバイス１１０は、イベントに関する情報を得るようＥＩＴマネージャによってＥＩＴ情報にアクセスすることができる。ＥＩＴマネージャはデバイス１１０においてインストールされている。この実施形態において、時間シフト機能は、ユーザが１つのイベントを選択するときに立ち上げられる。しかし、時間シフト機能は、デバイス１１０の起動中に全てのイベントに自動的に適用されてよい。システムは、所定の時間が過ぎた後に、ユーザが１つのサービスを選択することを認識してよい。
【００２９】
ステップ２０３で、デバイス１１０は、過去のシーンが記録のために有意味であるとユーザが気付いて“逆方向記録”ボタンを押す場合に、ユーザが見ているイベントについて逆方向記録機能を開始する命令を受け取る。
【００３０】
ステップ２０５で、デバイス１１０は、イベントについてのＥＩＴ情報を入手し、イベントのタイプを決定する。後述されるように、ＥＩＴ  ｐ／ｆ情報又はＣｏｎｔｅｎｔ＿Ｎｉｂｂｌｅ＿Ｌｅｖｅｌ＿１のコンテンツ記述子が、イベントのタイプを決定するために使用され得る。
【００３１】
ステップ２０７で、デバイス１１０は、夫々のイベントのタイプについてのデフォルトの時間又は、ユーザ入力モジュール１１７を通じて手動によりユーザによって選択された時間に従って、記録存続期間を設定する。
【００３２】
ステップ２０９で、デバイス１１０は、時間シフトバッファに記憶されている、命令を受け取った時点からの過去の存続期間のデータを、デバイス１１０のストレージ１１３における“逆方向記録”ディレクトリにコピーする。ストレージは、内部／外部のハードディスクであってよい。
【００３３】
記録の完了後、ユーザは、記憶されたディレクトリから、瞬時／スケジューリング記録のように、記録されているイベントを再生することができる。次のように、記録ライブラリにおいてデータを記憶する２つの方法が存在する：
１．プログラムタイプ：例えば、記録ライブラリディレクトリの下には、映画、歌曲、及びスポーツのサブディレクトリが存在する；及び
２．記録時間（及び／又は日付）：例えば、記録ライブラリディレクトリの下には、２０１４−０１−０１及び２０１４−０１−０２のサブディレクトリが存在する。
上述されたように、逆方向記録機能は、プログラムタイプがＥＩＴイベント情報から入手され得るとして、それにより体系化され得る。それは、時系列によっても体系化され得る。デバイス１１０がオフされる場合に、逆方向記録機能を終了するようステップ２１１へ進む。そうでなければ、逆方向記録機能は続き、次の記録を準備する。
【００３４】
一実施形態において、デフォルトの逆方向記録時間は、ユーザが見ているイベントタイプに従って設定される。イベントのタイプがスポーツである場合には、デフォルトの逆方向記録時間は１分である。ＥＩＴ  ｐ／ｆ情報は、イベントのタイプを判断するために用いられる。プログラムがスポーツの試合である場合には、逆方向記録機能は、通常は、ゴールが起きるシーンのためである。イベントのタイプが映画／ドラマである場合には、デフォルトの逆方向記録時間は１０分である。最も印象的な映画シーンは約１０分である。イベントのタイプが音楽／バレエ／ダンスである場合には、デフォルトの逆方向記録時間は４分である。通常、１つの歌曲の存続期間は約４分である。デフォルトによって、ユーザが過去のシーンのためにどれくらいの時間を記録したいかをユーザに選択させるメッセージが、提示されてよい。
【００３５】
参照されるＥＩＴ  ｐ／ｆ情報は、ＥＩＴプレゼント／フォローイング（present/following）情報において使用されるコンテンツ記述子のためである。表１−１は、ＤＶＢ−ＳＩ標準で定義されるコンテンツ記述子定義を示す（ＥＴＳＩ  ３００  ４６８）。コンテンツ記述子がない場合には、デフォルトの逆方向記録時間は５分である。
【００３６】
【表１】
0006305558.tif 000002
ｃｏｎｔｅｎｔ＿ｎｉｂｂｌｅ＿ｌｅｖｅｌ＿１も、ＥＴＳＩ  ３００  ４６８において定義されている。それは、異なるイベントのタイプにより定義されている。異なるイベントについて、それらは、逆方向記録のデフォルト存続期間にマッピングされ得る。例えば、映画イベントの関心のある点は、逆方向記録のために１０分間続いてよい。
【００３７】
【表２】
0006305558.tif 000003
図３は、より詳細に、本発明の実施形態に従って如何にしてユーザが逆方向記録機能を実施するのかを示すシステムチャートを表す。この実施形態では、デバイス１１０はＳＴＢである。ＴＶを見ているユーザは、ＣＨ＋／ＣＨ−ボタンを押し（３０１）、チャネルを１つのサービスに変更する（３０３）。時間シフト機能はＳＴＢにおいて有効にされ、時間シフトバッファは自動的にいっぱいになる（３０５）。ＥＩＴテーブル情報は、ＳＴＢのＥＩＴマネージャによって入手される（３０７）。
【００３８】
ユーザは、過去のシーンが記録のために有意味であるとユーザが気付いたときに逆方向記録ボタンを押す（３０９）。ＳＴＢは、ＥＩＴコンテンツ記述子ニブルレベル（nibble  level）情報から現在のサービスのｃｏｎｔｅｎｔ＿ｎｉｂｂｌｅ＿ｌｅｖｅｌ＿１を得る（３１１，３１３）。ＳＴＢはまた、代わりにＥＩＴ  ｐ／ｆ情報も利用することができる。ＳＴＢ  ＵＩは、コンテンツ記述子に従って提案される記録存続期間を示して、それをユーザに選択させることができる（３１７）。代替的に、記録存続期間は、コンテンツ記述子に関係がある／無関係であるデフォルトとして設定され得る。代替的に、いずれのアプローチも、ユーザに然るべく選択させるよう同時に適用され得る。
【００３９】
ＳＴＢは、記録存続期間を有するサービスクリップを時間シフトバッファからＳＴＢのストレージ内の“逆方向記録”ディレクトリへ記録マネージャを介してコピーする。記録は、ユーザが逆方向記録ボタンを押した時点から開始し、記録存続期間内でサービスクリップを逆行して記録する（３１９）。記録が終わると、ＳＴＢ  ＵＩはそれをユーザに示してよい（３２１）。ユーザは、記憶されたディレクトリから、瞬時／スケジューリング記録のように、記録されているサービスクリップを再生することができる。再生のために、ユーザは記録再生ボタンを押す（３２３）。ＳＴＢは、ストレージ内の“逆方向記録”ディレクトリに記憶されているデータをＳＴＢ記録マネージャを介して取り出し（３２５）、再生する（３２７）。
【００４０】
多数の実施が記載されてきた。それでもなお、様々な変更がなされてよいことが、理解されるであろう。例えば、異なる実施の要素は、他の実施を生じするように組み合わされ、補足され、変更され、又は削除されてよい。加えて、当業者であれば、他の構造及びプロセスが、開示されているものに代用されてよく、結果として現れる実施は、開示されている実施と少なくとも略同じ結果を達成するよう、少なくとも略同じ方法において、少なくとも略同じ機能を実施する点を理解するであろう。然るに、それら及び他の実施は、本願で考えられており、添付の特許請求の範囲によって定義される本発明の適用範囲内にある。  
上記の実施形態に加えて、以下の付記を開示する。
（付記１）
時間シフト機能を備えるデバイスで逆方向記録を行うための方法であって、
ユーザが１つのプログラムを選択する場合に、該プログラムを時間シフトバッファに記録するよう、前記時間シフト機能を起動するステップと、
ユーザによって見られている前記プログラム内で逆方向にシーンを記録するための命令を受け取るステップと、
ＥＩＴ（イベント情報テーブル）から前記プログラムに関する情報を取得するステップと、
前記情報に基づき前記プログラムのタイプを決定するステップと、
前記プログラムの前記タイプに応じて前記逆方向記録の存続期間を設定するステップと、
前記時間シフトバッファにおいて記憶されており、前記命令を受け取った時点から逆行した前記存続期間に対応するデータを、前記デバイスのストレージにコピーするステップと
を有する方法。
（付記２）
前記時間シフト機能は、デフォルト規則又は前記ユーザによる命令に従ってアクティブにされる、
付記１に記載の方法。
（付記３）
前記命令を受け取るステップは、前記デバイスのユーザインターフェイスに設けられている逆方向記録ボタンによって実施される、
付記１又は２に記載の方法。
（付記４）
前記プログラムに関する前記情報は、前記プログラムとともに受信されるＥＩＴ  ｐ／ｆ情報又はｃｏｎｔｅｎｔ＿ｎｉｂｂｌｅ＿ｌｅｖｅｌ＿１である、
付記１乃至３のうちいずれか一つに記載の方法。
（付記５）
前記設定するステップは、前記プログラムの前記タイプに応じて提案される存続期間を前記ユーザに示し、該ユーザによって選択されることによって、実施される、
付記１乃至４のうちいずれか一つに記載の方法。
（付記６）
前記設定するステップは、前記プログラムの前記タイプに依存した又は依存しないデフォルト存続期間を選択することによって、実施される、
付記１乃至４のうちいずれか一つに記載の方法。
（付記７）
ユーザインターフェイスに設けられている記録再生ボタンを介して、前記デバイスの前記ストレージ内の逆方向記録ディレクトリに記憶されている記録データを再生するための命令を受け取るステップ
を更に有する付記１乃至６のうちいずれか一つに記載の方法。
（付記８）
時間シフト機能を備える、ＤＶＢプロトコルに基づくデバイスにおいて、逆方向記録を行うためのシステムであって、
ユーザが１つのプログラムを選択する場合に、該プログラムを時間シフトバッファに記録するよう、前記時間シフト機能を起動するステップと、
ユーザによって見られている前記プログラム内で逆方向にシーンを記録するための命令を受け取るステップと、
ＥＩＴ（イベント情報テーブル）から前記プログラムに関する情報を取得するステップと、
前記情報に基づき前記プログラムのタイプを決定するステップと、
前記プログラムの前記タイプに応じて前記逆方向記録の存続期間を設定するステップと、
前記時間シフトバッファにおいて記憶されており、前記命令を受け取った時点から逆行した前記存続期間に対応するデータを、前記デバイスのストレージにコピーするステップと
を実施するプロセッサを有するシステム。
（付記９）
前記時間シフト機能は、デフォルト規則又は前記ユーザによる命令に従ってアクティブにされる、
付記８に記載のシステム。
（付記１０）
前記命令を受け取るステップは、前記デバイスのユーザインターフェイスに設けられている逆方向記録ボタンによって実施される、
付記８又は９に記載のシステム。
（付記１１）
前記プログラムに関する前記情報は、前記プログラムとともに受信されるＥＩＴ  ｐ／ｆ情報又はｃｏｎｔｅｎｔ＿ｎｉｂｂｌｅ＿ｌｅｖｅｌ＿１である、
付記８乃至１０のうちいずれか一つに記載のシステム。
（付記１２）
前記設定するステップは、前記プログラムの前記タイプに応じて提案される存続期間を前記ユーザに示し、該ユーザによって選択されることによって、実施される、
付記８乃至１１のうちいずれか一つに記載のシステム。
（付記１３）
前記設定するステップは、前記プログラムの前記タイプに依存した又は依存しないデフォルト存続期間を選択することによって、実施される、
付記８乃至１１のうちいずれか一つに記載のシステム。
（付記１４）
前記プロセッサは、ユーザインターフェイスに設けられている記録再生ボタンを介して、前記デバイスの前記ストレージ内の逆方向記録ディレクトリに記憶されている記録データを再生するための命令を受け取るステップを更に実施する、
付記８乃至１３のうちいずれか一つに記載のシステム。
（付記１５）
通信ネットワークからダウンロード可能であり、且つ／あるいは、コンピュータによって読み出し可能な媒体に記録されており、且つ／あるいは、プロセッサによって実行可能であるコンピュータプログラム製品であって、
付記１乃至７の少なくとも一つに記載の方法を実施するプログラムコード命令を有するコンピュータプログラム製品。
（付記１６）
付記１乃至７の少なくとも一つに記載の方法を実施するプログラムコード命令を含む、プロセッサによって実行されることが可能なコンピュータプログラム製品を記録している非一時的なコンピュータ可読媒体。
【図１】
0006305558.tif 000004
【図２】
0006305558.tif 000005
【図３】
0006305558.tif 000006